(57)【要約】      （修正有）【課題】シート・バック外観の形状変形を防止でき、シート・ベルトを円滑に案内できて異物感を与えずに外観仕上りを維持可能にする。【解決手段】細帯状の半硬質樹脂プレート１１と、一端を閉じた状態で所定の幅、長さの細長い表皮材を筒状袋に縫い、幅方向に折りたたまれてプレート１１に被せられ、プレート１１に縫い付けられてプレート１１を綴じる細帯表皮１２とを含み、半硬質樹脂プレート１１および細帯表皮１２が、シート・バックのフレーム・トップ３４に固定的に取り付けられたベルト・ガイド・ブラケット１３に他端を固定的に止めて、シート・バック・パッドのショルダー・スリットおよびシート・バック・トリム・カバーのショルダー・スリットを通して外部に引き出され、シート・バックとの間に適宜の隙間を置いてシート・バックの側面に一端を取り外し可能に止めて、シート・バックとの間の隙間にシート・ベルトを通して案内する。【選択図】図３
2010221926.tif 000002
【特許請求の範囲】
【請求項１】
しんに用いる細帯状の半硬質樹脂プレートと、一端を閉じた状態で所定の幅、長さの細長い表皮材を筒状袋に縫い、幅方向に折りたたまれてそのプレートに被せられ、そして、そのプレートに縫い付けられてそのプレートを綴じる細帯表皮とを含み、そして、その一体的に綴じられた細帯状半硬質樹脂プレートおよび細帯表皮が、シート・バックのシート・バック・フレームにおいてフレーム・トップに固定的に取り付けられたベルト・ガイド・ブラケットに他端を固定的に止めてシート・バック・パッドのショルダー・スリットおよびシート・バック・トリム・カバーのショルダー・スリットを通して外部に引き出され、そして、そのシート・バックとの間に適宜の隙間を置いてそのシート・バックの側面に一端を取り外し可能に止めてそのシート・バックとの間のその隙間にシート・ベルトを通して案内するところのシート・ベルト・ガイド。
【請求項２】
そのベルト・ガイド・ブラケットが、非内部突起形状に形成される請求項１に記載のシート・ベルト・ガイド。
【請求項３】
そのベルト・ガイド・ブラケットが、ヘッドレストの後側に位置されてそのシート・バック・フレームのそのフレーム・トップに固定的に取り付けられる請求項１に記載のシート・ベルト・ガイド。
【請求項４】
そのベルト・ガイド・ブラケットが、そのシート・バック・フレームのそのフレーム・トップのショルダーに固定的に取り付けられ、そして、ボム・カバーで覆われる請求項１に記載のシート・ベルト・ガイド。
【発明の詳細な説明】
【技術分野】
【０００１】
この発明は、自動車シートのシート・バックのショルダーに配置されるところのシート・ベルト・ガイドに関する。
【背景技術】
【０００２】
自動車シートのシート・バックに用いるシート・ベルト・ガイドは、樹脂ブロックに成形されるか、表皮材から細長い筒状袋に縫い合わせてしん材を入れた細帯を用いるのが一般である。前者では、異物感が与えられ、また、後者では、その細帯がヘッドレスト寄りで一端を表皮に縫い付け、面ファスナで他端をシート・バックの側面に止められるので、シート・ベルトが強く引かれると、それに伴ってその細帯縫付け箇所の表皮が引っ張られてずれを生じ、そのシート・バックの形状が変形されて見映えが悪くなった。
【先行技術文献】
【特許文献】
【０００３】
特開２００４−８２７９１公報
【発明の概要】
【発明が解決しようとする課題】
【０００４】
この発明の課題は、シート・ベルトが大きな力で無理に引っ張られる際、表皮引張りを防止できて表皮ずれを生じさせずにシート・バック外観の形状変形を防止できてそのシート・ベルトを円滑に案内でき、そして、異物感を与えずに外観仕上り、すなわち、見映えを維持可能にするところのシート・ベルト・ガイドの提供にある。
【課題を解決するための手段】
【０００５】
この発明のシート・ベルト・ガイドは、しんに用いる細帯状の半硬質樹脂プレートと、一端を閉じた状態で所定の幅、長さの細長い表皮材を筒状袋に縫い、幅方向に折りたたまれてそのプレートに被せられ、そして、そのプレートに縫い付けられてそのプレートを綴じる細帯表皮とを含み、そして、その一体的に綴じられた細帯状半硬質樹脂プレートおよび細帯表皮が、シート・バックのシート・バック・フレームにおいてフレーム・トップに固定的に取り付けられたベルト・ガイド・ブラケットに他端を固定的に止めてシート・バック・パッドのショルダー・スリットおよびシート・バック・トリム・カバーのショルダー・スリットを通して外部に引き出され、そして、そのシート・バックとの間に適宜の隙間を置いてそのシート・バックの側面に一端を取り外し可能に止めてそのシート・バックとの間のその隙間にシート・ベルトを通して案内する。
【発明の効果】
【０００６】
この発明では、その一体化された細帯状半硬質樹脂プレートおよび細帯表皮が、その他端、すなわち、根元端でシート・バックのシート・バック・フレームにおいてフレーム・トップに固定的に取り付けられたベルト・ガイド・ブラケットに止められてシート・バック・パッドのショルダー・スリットおよびシート・バック・トリム・カバーのショルダー・スリットを順次通って外部に引き出されるので、シート・ベルトによって大きな力で無理に引っ張られる際、そのベルト・ガイド・ブラケット止めによって表皮を引っ張ることが防止されてその表皮がずれることも防止され、シート・バックの外観形状が変形されることも防止され、そのシート・ベルトが円滑に案内され、そして、異物感が与えられずに外観仕上り、すなわち、見映えが維持可能になる。
【図面の簡単な説明】
【０００７】
【図１】この発明のシート・ベルト・ガイドの具体例を活用するところの乗用車のリア・シートを示した部分正面図である。
【図２】一体化された細帯状半硬質樹脂プレートおよび細帯表皮の横断面図である。
【図３】ベルト・ガイド・ブラケットを前方から見て示した使用状態図である。
【図４】別のベルト・ガイド・ブラケットを前方から見て示した使用状態図である。
【発明を実施するための形態】
【０００８】
この発明のシート・ベルト・ガイドは、しんに用いる細帯状の半硬質樹脂プレートと、一端を閉じた状態で所定の幅、長さの細長い表皮材を筒状袋に縫い、幅方向に折りたたまれてそのプレートに被せられ、そして、そのプレートに縫い付けられてそのプレートを綴じる細帯表皮とを含み、そして、その一体的に綴じられた細帯状半硬質樹脂プレートおよび細帯表皮が、シート・バックのシート・バック・フレームにおいてフレーム・トップに固定的に取り付けられたベルト・ガイド・ブラケットに他端を固定的に止めてシート・バック・パッドのショルダー・スリットおよびシート・バック・トリム・カバーのショルダー・スリットを通して外部に引き出され、そして、そのシート・バックとの間に適宜の隙間を置いてそのシート・バックの側面に一端を取り外し可能に止めてそのシート・バックとの間のその隙間にシート・ベルトを通して案内する。
【０００９】
そのベルト・ガイド・ブラケットは、ヘッドレストの後側でそのシート・バック・フレームのそのフレーム・トップに溶接されるか、そのフレーム・トップのショルダーに溶接され、そして、ゴム・カバーで覆われる。そのベルト・ガイド・ブラケットは、内部突起を形成しない形状、すなわち、非内部突起形状であるのが望ましいのであって、例えば、そのベルト・ガイド・ブラケットは、上端を折り返えし曲げするかカール曲げするか、あるいは、その一体化された細帯状半硬質樹脂プレートおよび細帯表皮の根元端に穴明された２個のビス穴に通されてそのフレーム・トップに溶接されるU字形ワイヤでも２本のワイヤでもかまわない。
【実施例１】
【００１０】
以下、特定されて図示された具体例に基づいて、この発明のシート・ベルト・ガイドを説明するに、図１ないし図３は、乗用車のリア・シートに活用されるところのこの発明のシート・ベルト・ガイドの具体例１０を示し、そして、そのリア・シート３０は、ベンチ・シートに組み立てられ、そして、シート・バック３１の左側３２にも右側にもそのシート・ベルト・ガイド１０が適用されているのであるが、そのシート・バック３１の左側３２で示されている。
【００１１】
このシート・ベルト・ガイド１０は、しんに用いる細帯状の半硬質樹脂プレート１１と、一端を閉じた状態で所定の幅、長さの細長い表皮材を筒状袋に縫い、幅方向に折りたたまれてそのプレート１１に被せられ、そして、そのプレート１１に縫い付けられてそのプレート１１を綴じる細帯表皮１２とを含み、そして、その一体的に綴じられた細帯状半硬質樹脂プレート１１および細帯表皮１２が、シート・バック３１のシート・バック・フレーム３３においてフレーム・トップ３４に固定的に取り付けられたベルト・ガイド・ブラケット１３に他端を固定的に止めてシート・バック・パッド３６のショルダー・スリット（図示せず）およびシート・バック・トリム・カバー３７のショルダー・スリット（図示せず）を通して外部に引き出され、そして、そのシート・バック３２との間に適宜の隙間を置いてそのシート・バック３２の側面３８に一端を取り外し可能に止めてそのシート・バック３２との間のその隙間にシート・ベルト（図示せず）を通して案内する。
【００１２】
このシート・ベルト・ガイド１０は、無数の小さなループ付き面ファスナ２３と無数の小さなフック付き面ファスナ２４とによってその左側シート・バック３２の側面３８に一端を取り外し可能に止められる。その無数の小さなループ付き面ファスナ２３は、その細帯表皮１２の一端でその細帯表皮１２の裏面１５に、その無数の小さなフック付き面ファスナ２４はその左側シート・バック３２のその側面３８においてそのシート・バック・トリム・カバー３７にそれぞれ固定的に貼り付けられる。
【００１３】
また、そのシート・ベルト・ガイド１０では、そのベルト・ガイド・ブラケット１３は、図３に示されたように下端を溶接フランジ１８に曲げ加工し、上端を折返えし曲げ１９に曲げ加工して内部突起を形成しない傾斜形状にプレス成形される。このブラケット１３は、さらに、２個のビス穴（図示せず）を明け、さらに穴合せ状態で２個のナット２０、２０を裏面１７に溶接し、そして、そのシート・バック・フレーム３３においてそのフレーム・トップ３４のショルダー３５に溶接され、ゴム・カバー２１を被せて用いられる。
【００１４】
このシート・ベルト・ガイド１において、１４はその細帯表皮１２の表面、そして、１６はそのベルト・ガイド・ブラケット１３の表面である。
【００１５】
このシート・ベルト・ガイド１０は、その一体化された細帯状半硬質樹脂プレート１１および細帯表皮１２の他端が、そのベルト・ガイド・ブラケット１３のその溶接ナット２０、２０にねじ込まれるビス２２、２２によってそのベルト・ガイド・ブラケット１３のその表面１６に締め付けられて固定的に止められ、そのシート・バック・パッド３６のそのショルダー・スリットおよびそのシート・バック・トリム・カバー３７のそのショルダー・スリットに順次に通されて外部に引き出され、そして、そのシート・バック３２との間に適宜に隙間を置いてその面ファスナ２３、２４でそのシート・バック３２のその側面３８に一端を止めてそのシート・バック３２との間のその隙間にそのシート・ベルトを通して案内する。
したがって、このシート・ベルト・ガイド１０では、その一体化された細帯状半硬質樹脂プレート１１および細帯表皮１２がそのシート・ベルトによって大きな力で無理に引っ張られる際、そのベルト・ガイド・ブラケット１３に止められることによってそのシート・バック・トリム・カバー３７のずれが防止され、シート・バック外観の変形も防止され、そのシート・ベルトが円滑に案内され、そして、異物感が与えられずに外観仕上り、すなわち、見映えが維持される。
【００１６】
そのベルト・ガイド・ブラケット１０が、そのシート・バック３２のヘッドレスト３９の後側でそのシート・バック・フレーム３３のそのフレーム・トップ３４に溶接される場合には、図４に示されたように、下端を溶接フランジ４１に曲げ加工したように立上り形状にプレス成形されてもかまわない。勿論、このベルト・ガイド・ブラケット４０も２個のビス穴（図示せず）を明け、それらに穴合せ状態で２個のナット２０、２０を外側面４２に溶接して用いられる。
さらに、このベルト・ガイド・ブラケット１３は、内部突起を形成しない形状、すなわち、非内部突起形状であるのが望ましので、その一体化された細帯状半硬質樹脂プレート１１および細帯表皮１２の根元端に穴明けされた２個のビス穴（図示せず）に通されてそのフレーム・トップ３４に溶接されるＲ曲げ付きＵ字形ワイヤ（図示せず）でも２本のＲ曲げ付きワイヤ（図示せず）でもかまわない。
【００１７】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１８】
上述から理解されるように、この発明のシート・ベルト・ガイドは、しんに用いる細帯状の半硬質樹脂プレートと、一端を閉じた状態で所定の幅、長さの細長い表皮材を筒状袋に縫い、幅方向に折りたたまれてそのプレートに被せられ、そして、そのプレートに縫い付けられてそのプレートを綴じる細帯表皮とを含み、そして、その一体的に綴じられた細帯状半硬質樹脂プレートおよび細帯表皮が、シート・バックのシート・バック・フレームにおいてフレーム・トップに固定的に取り付けられたベルト・ガイド・ブラケットに他端を固定的に止めてシート・バック・パッドのショルダー・スリットおよびシート・バック・トリム・カバーのショルダー・スリットを通して外部に引き出され、そして、そのシート・バックとの間に適宜の隙間を置いてそのシート・バックの側面に一端を取り外し可能に止めてそのシート・バックとの間のその隙間にシート・ベルトを通して案内するので、この発明のシート・ベルト・ガイドでは、その一体化された細帯状半硬質樹脂プレートおよび細帯表皮がそのシート・ベルトによって大きな力で無理に引っ張られる際、そのベルト・ガイド・ブラケット止めによってシート・バック・トリム・カバーのずれが防止され、シート・バック外観の変形が防止され、そのシート・ベルトが円滑に案内され、そして、異物感が与えられずに外観仕上り、すなわち、見映えが維持可能になり、その結果、自動車シートにとって非常に有用で実用的である。
【符号の説明】
【００１９】
１１  細帯状の半硬質樹脂プレート
１２  細帯表皮
１３  ベルト・ガイド・ブラケット
１４  表面
１５  裏面
１６  表面
１７  裏面
１８  溶接フランジ
１９  折返し曲げ
２０  ナット／溶接ナット
２１  ゴム・カバー
２２  ビス
２３  無数の小さなループ付き面ファスナ
２４  無数の小さなフック付き面ファスナ
３０  リア・シート
３１  シート・バック
３２  左側シート・バック
３３  シート・バック・フレーム
３４  フレーム・トップ
３５  ショルダー
３６  シート・バック・パッド
３７  シート・バック・トリム・カバー
３８  側面
３９  ヘッドレスト
４０  ベルト・ガイド・ブラケット
４１  溶接フランジ
４２  外側面
【図１】
2010221926.tif 000003
【図２】
2010221926.tif 000004
【図３】
2010221926.tif 000005
【図４】
2010221926.tif 000006